(57)【要約】 【課題】  片手で洗浄しながら噴出パターンを切り替えることができるキャップ装置及びこのキャップ装置を備えた容器を提供するものである。【解決手段】  容器本体１の上部に装着するキャップ装置であって、吐出口５を上端に有する円筒状体４を天板部６に設けた主キャップ２と、前記吐出口５を覆う補助キャップ３とからなり、該補助キャップ３を前記円筒状体４に上下方向に変位可能に設け、前記補助キャップ３の天板部２３に中心噴出口７と周りのシャワー噴出口８とを設けると共に、前記補助キャップ３にレバー４０を設け、該レバー４０を操作して前記補助キャップ３を上下方向に変位させて前記容器本体１内の液体・粉体等の粉流体を前記中心噴出口７のみから噴出させるか又は中心噴出口７とシャワー噴出口８の両方から噴出させるようにしてある。【選択図】    図１
2005178889.tif 000002
【特許請求の範囲】
【請求項１】
容器本体上部に装着するキャップ装置であって、吐出口を上端に有する円筒状体を天板部に設けた主キャップと、前記吐出口を覆う補助キャップとからなり、該補助キャップを前記円筒状体に上下方向に変位可能に設け、前記補助キャップの天板部に中心噴出口と周りのシャワー噴出口とを設けると共に、前記補助キャップにレバーを設け、該レバーを操作して前記補助キャップを上下方向に変位させて前記容器本体内の液体・粉体等の粉流体を前記中心噴出口のみから噴出させるか又は中心噴出口とシャワー噴出口の両方から噴出させるようにしてあるキャップ装置。
【請求項２】
前記レバーは、前記補助キャップに揺動自在に設けると共に、前記主キャップの天板部に軸支してある請求項１に記載のキャップ装置。
【請求項３】
前記吐出口に前記円筒状体と同心円状にフランジ部を設けると共に、前記主キャップには連通孔と中心突部を設け、この中心突部の肩部を弁座とし、前記補助キャップの天板部には内周面が前記弁座に接し外周面が前記フランジ部に接するように止水環状体を設けた請求項１又は２に記載のキャップ装置。
【請求項４】
前記円筒状体の内側に止水面を設けると共に、前記主キャップには連通孔と中心突部を設け、この中心突部の肩部を弁座とし、前記補助キャップの天板部には外周面が前記止水面に接するように止水環状体を設けると共に、前記弁座と係合して止水する止水係合部を設けた請求項１又は２に記載のキャップ装置。
【請求項５】
前記補助キャップの天板部を球面状に成形した請求項１乃至４のいずれかに記載のキャップ装置。
【請求項６】
前記補助キャップには、前記止水環状体の内側の天板部に大径の中心噴出口を設け、前記止水環状体の外側の天板部に複数個の小径のシャワー噴出口を設けた請求項１乃至５のいずれかに記載のキャップ装置。
【請求項７】
前記シャワー噴出口を楕円状に設けた請求項４乃至６のいずれかに記載のキャップ装置。
【請求項８】
前記中心噴出口又は／及び前記シャワー噴出口が微小孔の集合からなる請求項１乃至７のいずれかに記載のキャップ装置。
【請求項９】
前記補助キャップが弾性を有する請求項１乃至８のいずれかに記載のキャップ装置。
【請求項１０】
前記主キャップに逆止弁を設けた請求項１乃至９のいずれかに記載のキャップ装置。
【請求項１１】
前記逆止弁は、環状弁座を前記円筒状体の下部に設け、前記環状弁座にバネ弾力を付勢して球状弁体を離着座自在に設け、容器本体内の粉流体を前記吐出口方向へ通すが逆方向の粉流体は閉止するようにしてある請求項１乃至１０のいずれかに記載のキャップ装置。
【請求項１２】
容器本体上部に、請求項１乃至１１のいずれかに記載のキャップ装置を備えた容器。
【請求項１３】
前記容器本体が透明又は半透明な合成樹脂からなる請求項１２に記載の容器。
【請求項１４】
前記容器本体が可撓性を有する請求項１２又は１３に記載の容器。
【請求項１５】
前記容器本体に洗浄液を充填した請求項１４に記載の容器。
【請求項１６】
前記容器本体の胴部に温度表示部を設けた請求項１２乃至１５のいずれかに記載の容器。
【請求項１７】
容器本体上部にキャップ装置を装着した容器であって、吐出口を上端に有する円筒状体を天板部に設けた主キャップと、前記吐出口を覆う補助キャップとからなり、該補助キャップを前記円筒状体に上下方向に変位可能に設け、前記補助キャップの天板部に中心噴出口と周りのシャワー噴出口とを設けると共に、前記補助キャップを上下方向に変位させて前記容器本体内の液体・粉体等の粉流体の調味料を前記中心噴出口のみから噴出させるか又は中心噴出口とシャワー噴出口の両方から噴出させるようにしたキャップ装置を備えた容器。
【請求項１８】
前記キャップ装置が上記請求項１乃至１１の何れかである請求項１７に記載の容器。
【請求項１９】
前記容器本体の内側に柔軟性を有する粉流体収容袋を設け、粉流体の減少に伴って粉流体収容袋の容積が減少するようにした請求項１２乃至１８のいずれかに記載の容器。
【発明の詳細な説明】
【技術分野】
【０００１】
本発明は、内容物の噴出パターンを切り替え可能にしたキャップ装置及びこのキャップ装置を備えた容器に関する。
【背景技術】
【０００２】
従来、噴出口を有するキャップを容器本体に設け、この容器本体に洗浄液を入れて携帯することができ、必要なときに容器本体の胴部を押圧することにより噴出口から洗浄液を噴出させて、臀部等の身体の一部を洗浄するようにした携帯用の洗浄容器は種々知られている。また、キャップが元蓋と元蓋に回転自在に設けた上蓋とからなり、上蓋に噴出パターンの異なる複数の噴出口を設けて、上蓋を回転させることにより噴出パターンを切り替えることができるようにした携帯用の洗浄容器も知られている（例えば、特許文献１参照）。
【特許文献１】登録実用新案第３０７４７６０号公報
【発明の開示】
【発明が解決しようとする課題】
【０００３】
例えば、寝たきりの患者を介護する場合においては、片手で洗浄容器を使用することが多いことから、簡単な操作により洗浄液を噴出することができると共に、片手で洗浄しながら噴出パターンを切り替えることができる洗浄容器が望まれている。しかし、特許文献１に記載の携帯用の洗浄容器は、噴出パターンを切り替えるには、一方の手で元蓋を把持し他方の手で上蓋を回すために両手が必要であり、片手で洗浄しながら噴出パターンを切り替えることが困難であるという課題があった。
また、洗浄容器以外の容器において、内容物の噴出パターンを切り替え可能にしたキャップは無い。
【課題を解決するための手段】
【０００４】
そこで、本発明は、上記課題を解決するために、容器本体上部に装着するキャップ装置であって、吐出口を上端に有する円筒状体を天板部に設けた主キャップと、前記吐出口を覆う補助キャップとからなり、該補助キャップを前記円筒状体に上下方向に変位可能に設け、前記補助キャップの天板部に中心噴出口と周りのシャワー噴出口とを設けると共に、前記補助キャップにレバーを設け、該レバーを操作して前記補助キャップを上下方向に変位させて前記容器本体内の液体・粉体等の粉流体を前記中心噴出口のみから噴出させるか又は中心噴出口とシャワー噴出口の両方から噴出させるようにしてあるキャップ装置を提供するものである。
【０００５】
また、本発明は、前記レバーが、前記補助キャップに揺動自在に設けると共に、前記主キャップの天板部に軸支してある請求項１に記載のキャップ装置を提供するものである。
【０００６】
また、本発明は、前記吐出口に前記円筒状体と同心円状にフランジ部を設けると共に、前記主キャップには連通孔と中心突部を設け、この中心突部の肩部を弁座とし、前記補助キャップの天板部には内周面が前記弁座に接し外周面が前記フランジ部に接するように止水環状体を設けた請求項１又は２に記載のキャップ装置を提供するものである。
【０００７】
また、本発明は、前記円筒状体の内側に止水面を設けると共に、前記主キャップには連通孔と中心突部を設け、この中心突部の肩部を弁座とし、前記補助キャップの天板部には外周面が前記止水面に接するように止水環状体を設けると共に、前記弁座と係合して止水する止水係合部を設けた請求項１又は２に記載のキャップ装置を提供するものである。
【０００８】
また、本発明は、前記補助キャップの天板部を球面状に成形した請求項１乃至４のいずれかに記載のキャップ装置を提供するものである。
【０００９】
また、本発明は、前記補助キャップには、前記止水環状体の内側の天板部に大径の中心噴出口を設け、前記止水環状体の外側の天板部に複数個の小径のシャワー噴出口を設けた請求項１乃至５のいずれかに記載のキャップ装置を提供するものである。
【００１０】
また、本発明は、前記シャワー噴出口を楕円状に設けた請求項４乃至６のいずれかに記載のキャップ装置を提供するものである。
【００１１】
また、本発明は、前記中心噴出口又は／及び前記シャワー噴出口が微小孔の集合からなる請求項１乃至７のいずれかに記載のキャップ装置を提供するものである。
【００１２】
また、本発明は、前記補助キャップが弾性を有する請求項１乃至８のいずれかに記載のキャップ装置を提供するものである。
【００１３】
また、本発明は、前記主キャップに逆止弁を設けた請求項１乃至９のいずれかに記載のキャップ装置を提供するものである。
【００１４】
また、本発明は、前記逆止弁が、環状弁座を前記円筒状体の下部に設け、前記環状弁座にバネ弾力を付勢して球状弁体を離着座自在に設け、容器本体内の粉流体を前記吐出口方向へ通すが逆方向の粉流体は閉止するようにしてある請求項１乃至１０のいずれかに記載のキャップ装置を提供するものである。
【００１５】
また、本発明は、容器本体上部に、請求項１乃至１１のいずれかに記載のキャップ装置を備えた容器を提供するものである。
【００１６】
また、本発明は、前記容器本体が透明又は半透明な合成樹脂からなる請求項１２に記載の容器を提供するものである。
【００１７】
また、本発明は、前記容器本体が可撓性を有する請求項１２又は１３に記載の容器を提供するものである。
【００１８】
また、本発明は、前記容器本体に洗浄液を充填した請求項１４に記載の容器を提供するものである。
【００１９】
また、本発明は、前記容器本体の胴部に温度表示部を設けた請求項１２乃至１５のいずれかに記載の容器を提供するものである。
【００２０】
また、本発明は、容器本体上部にキャップ装置を装着した容器であって、吐出口を上端に有する円筒状体を天板部に設けた主キャップと、前記吐出口を覆う補助キャップとからなり、該補助キャップを前記円筒状体に上下方向に変位可能に設け、前記補助キャップの天板部に中心噴出口と周りのシャワー噴出口とを設けると共に、前記補助キャップを上下方向に変位させて前記容器本体内の液体・粉体等の粉流体の調味料を前記中心噴出口のみから噴出させるか又は中心噴出口とシャワー噴出口の両方から噴出させるようにしたキャップ装置を備えた容器を提供するものである。
【００２１】
また、本発明は、前記キャップ装置が上記請求項１乃至１１の何れかである請求項１７に記載の容器を提供するものである。
【００２２】
また、本発明は、前記容器本体の内側に柔軟性を有する粉流体収容袋を設け、粉流体の減少に伴って粉流体収容袋の容積が減少するようにした請求項１２乃至１８のいずれかに記載の容器を提供するものである。
【発明の効果】
【００２３】
以上の通り、本発明に係るキャップ装置によれば、容器本体上部に装着するキャップ装置であって、吐出口を上端に有する円筒状体を天板部に設けた主キャップと、前記吐出口を覆う補助キャップとからなり、該補助キャップを前記円筒状体に上下方向に変位可能に設け、前記補助キャップの天板部に中心噴出口と周りのシャワー噴出口とを設けると共に、前記補助キャップにレバーを設け、該レバーを操作して前記補助キャップを上下方向に変位させて前記容器本体内の液体・粉体等の粉流体を前記中心噴出口のみから噴出させるか又は中心噴出口とシャワー噴出口の両方から噴出させるようにしてあることにより、レバーを操作して補助キャップを上下方向に変位させるという簡単な操作により、粉流体を中心噴出口のみから噴出させるか又は中心噴出口とシャワー噴出口の両方から噴出させるように切り替えて使用することができるから、片手で容器本体を持つと共にレバー操作をして噴出パターンを切り替えることができる効果がある。
【００２４】
また、本発明は、前記レバーが、前記補助キャップに揺動自在に設けると共に、前記主キャップの天板部に軸支してある請求項１に記載の構成を有することにより、天板部に軸支したレバーを上下方向に操作することによって補助キャップを上下方向に変位させることができ、容易に噴出パターンを切り替えることができる効果がある。
【００２５】
また、本発明は、前記吐出口に前記円筒状体と同心円状にフランジ部を設けると共に、前記主キャップには連通孔と中心突部を設け、この中心突部の肩部を弁座とし、前記補助キャップの天板部には内周面が前記弁座に接し外周面が前記フランジ部に接するように止水環状体を設けた請求項１又は２に記載の構成を有することにより、止水環状体の内周面が弁座に接すると止水環状体の内側に設けた中心噴出口を止水することができ、また、止水環状体の外周面がフランジ部に接すると止水環状体の外側に設けたシャワー噴出口を止水することができるから、補助キャップを上下方向に変位させることにより洗浄液を噴出させる噴出口を止水環状体の内外で切り替えて使用することができる効果がある。
【００２６】
また、本発明は、前記円筒状体の内側に止水面を設けると共に、前記主キャップには連通孔と中心突部を設け、この中心突部の肩部を弁座とし、前記補助キャップの天板部には外周面が前記止水面に接するように止水環状体を設けると共に、前記弁座と係合して止水する止水係合部を設けた請求項１又は２に記載の構成を有することにより、止水環状体の外周面が止水面に接すると止水環状体の外側に設けたシャワー噴出口を止水することができ、また、弁座と止水係合部が係合すると止水環状体の内側に設けた中心噴出口を止水することができるから、補助キャップを上下方向に変位させることにより洗浄液を噴出させる噴出口を止水環状体の内外で切り替えて使用することができる効果がある。
【００２７】
また、本発明は、前記補助キャップの天板部を球面状に成形した請求項１乃至４のいずれかに記載の構成を有することにより、球面状の天板部に設けられたシャワー噴出口から粉流体が放射状に噴出されるから、一度に広い範囲に粉流体を噴出することができる効果がある。
【００２８】
また、本発明は、前記補助キャップには、前記止水環状体の内側の天板部に大径の中心噴出口を設け、前記止水環状体の外側の天板部に複数個の小径のシャワー噴出口を設けた請求項１乃至５のいずれかに記載の構成を有することにより、粉流体が液体の場合には、大径の噴出口のみから噴出させることによって、比較的強い水流で噴出することができ、一方、液体を複数個のシャワー噴出口から噴出させることによって、比較的弱い水流で噴出することができる。また、粉流体が粉体の場合には、大径の噴出口のみから噴出させることによって、狭い範囲に噴出することができ、一方、粉体を複数個のシャワー噴出口から噴出させることによって、広い範囲に噴出することができる効果がある。
【００２９】
また、本発明は、前記シャワー噴出口を楕円状に設けた請求項４乃至６のいずれかに記載の構成を有することにより、キャップを回転することによって噴出幅を可変にできると共に、洗浄容器に使用する場合には、臀部の形状に合わせて洗浄液を噴出することができる効果がある。
【００３０】
また、本発明は、前記中心噴出口又は／及び前記シャワー噴出口が微小孔の集合からなる請求項１乃至７のいずれかに記載の構成を有することにより、粉流体が液体の場合には、噴出口から噴出される水流中に微小の空気泡が生じて液体の跳ね返りを抑えることができる。また、粉流体が粉体の場合には、粉体を均一に噴出させることができる効果がある。
【００３１】
また、本発明は、前記補助キャップが弾性を有する請求項１乃至８のいずれかに記載の構成を有することにより、弾性により補助キャップを円筒状体に密着させて設けることができる効果がある。
【００３２】
また、本発明は、前記主キャップに逆止弁を設けた請求項１乃至９のいずれかに記載の構成を有することにより、逆止弁によって外部から容器本体内への空気の侵入を防止することができ、容器本体内の粉流体を清潔に保つことができる効果がある。
【００３３】
また、本発明は、前記逆止弁が、環状弁座を前記円筒状体の下部に設け、前記環状弁座にバネ弾力を付勢して球状弁体を離着座自在に設け、容器本体内の粉流体を前記吐出口方向へ通すが逆方向の粉流体は閉止するようにしてある請求項１乃至１０のいずれかに記載の構成を有することにより、例えば、容器本体を押圧することによって容器本体内の圧力が高くなると、球状弁体がバネ弾力に抗して環状弁座から離れて容器本体内の粉流体を噴出させることができ、押圧を止めるとバネ弾力により球状弁体が環状弁座に着座して外部からの空気の侵入を防止することができるのみならず、不用意に容器本体を転倒した場合でも容器本体内の粉流体が外に漏れることを防止することができる効果がある。
【００３４】
また、本発明に係る容器によれば、容器本体上部に、請求項１乃至１１のいずれかに記載のキャップ装置を備えた構成を有することにより、レバー操作によって容易に噴出パターンを切り替えて、容器本体内に収容した粉流体を噴出することができる効果がある。
【００３５】
また、本発明は、前記容器本体が透明又は半透明な合成樹脂からなる請求項１２に記載の構成を有することにより、容器本体内の粉流体を視認できるから、粉流体の残量を一目で把握することができる効果がある。
【００３６】
また、本発明は、前記容器本体が可撓性を有する請求項１２又は１３に記載の構成を有することにより、容器本体を押圧することによって容器本体内の圧力が高くなり、容器本体内の粉流体を噴出させることができる効果がある。
【００３７】
また、本発明は、前記容器本体に洗浄液を充填した請求項１４に記載の構成を有することにより、片手で容器本体を押圧して洗浄液を噴出させながら、同じ手でレバー操作をして噴出パターンを切り替えることができるから、洗浄中に適切な噴出パターンに切り替えて効率良く洗浄をすることができる効果がある。
【００３８】
また、本発明は、前記容器本体の胴部に温度表示部を設けた請求項１２乃至１５のいずれかに記載の構成を有することにより、温度表示部により容器本体内の粉流体の温度を管理することができる効果がある。
【００３９】
また、本発明は、容器本体上部にキャップ装置を装着した容器であって、吐出口を上端に有する円筒状体を天板部に設けた主キャップと、前記吐出口を覆う補助キャップとからなり、該補助キャップを前記円筒状体に上下方向に変位可能に設け、前記補助キャップの天板部に中心噴出口と周りのシャワー噴出口とを設けると共に、前記補助キャップを上下方向に変位させて前記容器本体内の液体・粉体等の粉流体の調味料を前記中心噴出口のみから噴出させるか又は中心噴出口とシャワー噴出口の両方から噴出させるようにしたキャップ装置を備えた構成を有することにより、補助キャップを上下方向に変位させるという簡単な操作により、調味料を中心噴出口のみから噴出させるか又は中心噴出口とシャワー噴出口の両方から噴出させるように切り替えて使用することができ、集中して噴出したり分散して噴出したりして適正に調味料を噴出させることができる。
【００４０】
また、本発明は、前記キャップ装置が上記請求項１乃至１１の何れかである請求項１７に記載の構成を有することにより、レバー操作をして補助キャップを上下方向に変位させることによって、噴出パターンを容易に切り替えることができる効果がある。
【００４１】
また、本発明は、前記容器本体の内側に柔軟性を有する粉流体収容袋を設け、粉流体の減少に伴って粉流体収容袋の容積が減少するようにした請求項１２乃至１８のいずれかに記載の構成を有することにより、粉流体の減少に伴って粉流体収容袋の容積が減少するようにしたから、粉流体収納袋内に外部からの空気の侵入を防止することができる効果がある。
【発明を実施するための最良の形態】
【００４２】
本発明の実施の形態を図示の実施例に基づいて説明する。
本発明に係るキャップ装置は、容器本体１の上部に装着するキャップ装置であって、吐出口５を上端に有する円筒状体４を天板部６に設けた主キャップ２と、前記吐出口５を覆う補助キャップ３とからなり、該補助キャップ３を前記円筒状体４に上下方向に変位可能に設け、前記補助キャップ３の天板部２３に中心噴出口７と周りのシャワー噴出口８とを設けると共に、前記補助キャップ３にレバー４０を設け、該レバー４０を操作して前記補助キャップ３を上下方向に変位させて前記容器本体１内の液体・粉体等の粉流体を前記中心噴出口７のみから噴出させるか又は中心噴出口７とシャワー噴出口８の両方から噴出させるように構成してある。
【実施例１】
【００４３】
図１乃至図５に示す実施例１は、携帯洗浄器用のキャップ装置である。
主キャップ２は、合成樹脂の一体成形品からなり、図２及び図５に示すように、円筒状体４の内側に止水面５０を設けると共に、主キャップ２には連通孔１５と中心突部１６を設け、この中心突部１６の肩部を弁座１７としてある。また、主キャップ２のスカート部１９には、外周に滑り止め用の縦リブ５４を設けてあると共に、内側にキャップ側ねじ部２０を設けてあり、図６に示す容器本体１の上部にねじ込み装着することができるように構成してある。
【００４４】
図２及び図５に示すように、円筒状体４は、上端を開口して洗浄液を吐出する吐出口５を設けてあると共に、内側の下部を突出して止水面５０を設けてある。また、円筒状体４の外周面には、上部に補助キャップ３の内面に接する環状の摺動突条５１を設けてあり、下部は外周面上部より小径に成形して顎部２６を設けてあると共に、上下に２個の環状の位置決めリブ２２ａ、２２ｂを設けてある。
【００４５】
図１乃至図５に示す実施例では、中心突部１６は、上端を閉じた円筒状をなし、主キャップ２の天板部６に円筒状体４と同軸状に設けてある。中心突部１６の上端は、円筒状体４の上端より高くしてあり、弁座１７を吐出口５より上方に設けてある。
また、連通孔１５は、主キャップ２の天板部６に容器本体１内と円筒状体４内を連通するように設けてあり、容器本体１内の洗浄液が連通孔１５を通って吐出口５から吐出することができるようにしてある。
【００４６】
図１乃至図５に示す実施例において、補助キャップ３は、ポリプロピレン、ポリエチレン等の弾性を有する合成樹脂の一体成形品からなる。
補助キャップ３の天板部２３には、下向きに止水環状体２４を設けてあり、この止水環状体２４の内側に中心噴出口７を設け、止水環状体２４の外側に複数個のシャワー噴出口８を設けてある。止水環状体２４の外周面は、止水面５０に接してシャワー噴出口８を止水することができるようにしてあると共に、止水環状体２４の内側上部には、弁座１７と係合する止水係合部５２を設けて、弁座１７と止水係合部５２が係合して中心噴出口７を止水することができるように構成してある。
【００４７】
また、中心噴出口７及びシャワー噴出口８は、微小孔５３の集合からなり、噴出される洗浄液の水流中に微小の空気泡が生じて、泡沫状に噴出することができるように構成してある。洗浄水の跳ね返り量は各孔の径と水量により決まることから、洗浄水を泡沫状に噴出することによって使用水量を節約することができるのみならず、各水流中に非常に小さい空気泡を生じ飛散を封じ込めることにより、洗浄水の跳ね返りを少なくすることができる。
【００４８】
補助キャップ３の胴部２５は、円筒状体４の摺動突条５１に接して摺動するようにしてあり、補助キャップ３を上下方向に変位させても洗浄液が漏れ出さないようにしてある。
また、補助キャップ３の胴部２５の下部には、突起部２７を設けてあり、突起部２７が胴部２５の弾性により位置決めリブ２２ａ、２２ｂを乗り越えて変位することにより、補助キャップ３を上下方向に位置決め可能に変位させることができるようにしてある。また、突起部２７は、円筒状体４の顎部２６と係合するように設けてあり、補助キャップ３が円筒状体４から外れないように構成してある。なお、補助キャップ３を上下方向に変位させることができればよいから、位置決めリブ２２ａ、２２ｂを設けない構成とすることも可能である。
【００４９】
図１及び図２に示すように、レバー４０は、環状の支持枠４０ａと舌状の操作部４０ｂとからなり、合成樹脂により一体成形してある。支持枠４０ａは、操作部４０ｂと対向する部分に支持軸４１を成形してあると共に、操作部４０ｂと支持軸４１の中間位置に一対の揺動軸４２を対向して設けてある。レバー４０は、支点である支持軸４１に対して、作用点である操作部４０ｂを作用点である揺動軸４２より遠い位置に設けたから、てこの原理により軽い操作力で操作部４０ｂを操作することができる。
また、支持枠４０ａと操作部４０ｂには補強用のリブ４５を設けてあり、操作部４０ｂを操作する力を効率良く補助キャップ３に伝えることができるように構成してある。
【００５０】
主キャップ２の天板部６には、鉤状の軸受部４３を一体的に設けてあり、軸受部４３によってレバー４０の支持軸４１を軸支してある。
また、補助キャップ３の胴部２５の下部には、一対の横に長い長円形の軸受穴４４を一体的に設けてあり、軸受穴４４に揺動軸４２を挿入して、レバー４０の支持枠４０ａを揺動自在に設けてある。
【００５１】
レバー４０は、図２乃至図４に示すように、操作部４０ｂを上下方向に操作すると、支持枠４０ａが支持軸４１を中心に転向し、揺動軸４２は支持軸４１を中心とした円弧上を上下動するようにしてある。そして、補助キャップ３は、横長の軸受穴４４によって揺動軸４２の横方向の動きを吸収するようにしてあり、揺動軸４２の上下方向の動きのみを軸受穴４４を介して補助キャップ３に伝動することができるように構成してある。
なお、レバーは、図示の実施例に限られるものではなく、レバーを操作して補助キャップ３を上下方向に変位させることができるものであれば良い。
【００５２】
次に、実施例１のキャップ装置の作用について説明する。
図２に示すように、補助キャップ３を最下部まで押し下げた状態では、止水環状体２４の外周面が止水面５０に接してシャワー噴出口８は閉止状態（図中の黒丸）になっていると共に、止水係合部５２が弁座１７と係合して中心噴出口７も閉止状態になり、容器本体１は密閉されている。このとき、補助キャップ３の突起部２７は円筒状体４の下側の位置決めリブ２２ｂと係合して容器本体１の密閉状態を維持するようにしてある。
【００５３】
そして、レバー４０の操作部４０ｂを上方に押し上げると、揺動軸４２は支持軸４１を中心とした円弧上を上方に移動し、軸受穴４４内を横方向に移動しながら補助キャップ３を上に押し上げる。図３に示すように、突起部２７が上側の位置決めリブ２２ａと下側の位置決めリブ２２ｂの間に係合している状態では、止水係合部５２と弁座１７の係合が外れて、中心噴出口７は止水環状体２４と弁座１７の間を通って通水状態（図中の白丸）になる。一方、止水環状体２４の外周面は止水面５０に接しており、シャワー噴出口８のみが閉止状態になっているから、中心噴出口７からのみ洗浄液を噴出することができる。
【００５４】
図４に示すように、さらにレバー４０の操作部４０ｂを押し上げて、突起部２７が上側の位置決めリブ２２ａと顎部２６の間に係合している状態では、止水環状体２４の外周面は止水面５０から離れて、中心噴出口７及びシャワー噴出口８の両方が通水状態になり、中心噴出口７とシャワー噴出口８の両方から洗浄液を噴出することができる。
【実施例２】
【００５５】
図６乃至図１０に示す実施例２は、キャップ装置を備えた携帯洗浄器用の容器である。
図６に示すように、容器本体１は、ポリプロピレン、ポリエチレン等の可撓性を有する透明又は半透明な合成樹脂からなり、胴部９を押圧することにより容易に変形して容器本体１内に収容した洗浄液を噴出することができるようにしてある。
また、容器本体１の胴部９には、凸又は凹形状により容量目盛１２を設けてあり、図示の実施例では、５０ｍｌ毎に容量目盛１２を設けて洗浄液の使用量の目安になるように構成してある。
【００５６】
さらに、容器本体１の胴部９には、温度表示部１３を設けてある。
温度表示部１３は、温度を感知してこの温度に対応する部分を表示させるようにした温度シールからなり、該温度シールを容器本体１の胴部９に貼り付けてある。図示の実施例では、約３６〜４０℃で「適温」、約３６℃以下で「冷たい」、約４０℃以上で「熱い」と色分けして表示するようにしてある。なお、温度を数値で表示するように設けることも勿論可能である。
【００５７】
また、容器本体１には、洗浄液として生理食塩水を充填して使用することもできる。生理食塩水は、擦り傷や裂傷部の洗浄に使用されており、救急車にも常備されている。特に、救急車の常備用として使用する場合には、１本水流又はシャワー水流をワンタッチで切り替えることができることにより、洗浄の利便性が向上し、緊急時の即時対応が可能になる。
【００５８】
図６に示す実施例のキャップ装置において、主キャップ２は、合成樹脂の一体成形品からなり、図１０に示すように、吐出口５に円筒状体４と同心円状にフランジ部１４を設けると共に、主キャップ２には連通孔１５と中心突部１６を設け、この中心突部１６の肩部を弁座１７としてある。主キャップ２のスカート部１９には、キャップ側ねじ部２０を設けてあり、容器本体１の口部１０に設けた容器側ねじ部１１に主キャップ２をねじ込み装着することができるように構成してある。
従って、主キャップ２を容器本体１の口部１０から外して、容器本体１、主キャップ２及び補助キャップ３を洗浄し、容器本体１に洗浄液を充填して再使用することができる。
【００５９】
円筒状体４の上面には、円筒状体４と同心円状に吐出口５を設けてあり、吐出口５には下向きに円筒状のフランジ部１４を設けてある。
また、円筒状体４の外周面上部には、補助キャップ３が摺動する摺動面２１を設けてあり、円筒状体４の外周面下部は、摺動面２１より小径に成形して顎部２６を設けてあると共に、円周状に２個の位置決めリブ２２ａ、２２ｂを設けてある。
【００６０】
図６乃至図１０に示す実施例では、中心突部１６は、図１０に示すように、主キャップ２の天板部６に円筒状体４と同軸状に設けてあり、弁座１７はフランジ部１４の下端と上端の間の位置に設けてある。中心突部１６の上端には、嵌合突起１８を設けてあり、補助キャップ３を最下部まで押し下げたときに嵌合突起１８が中心噴出口７に嵌合するように構成してある。
また、連通孔１５は、主キャップ２の天板部６に容器本体１内と円筒状体４内を連通するように設けてあり、容器本体１内の洗浄液を連通孔１５を通って吐出口５から吐出することができるようにしてある。
【００６１】
図６乃至図１０に示す実施例において、補助キャップ３は、ポリプロピレン、ポリエチレン等の弾性を有する合成樹脂の一体成形品からなる。
補助キャップ３の天板部２３には、下向きに止水環状体２４を設けてあり、止水環状体２４の内周面が弁座１７に接し外周面がフランジ部１４に接するように構成してある。
補助キャップ３には、止水環状体２４の内側の天板部２３に大径の中心噴出口７を設け、止水環状体２４の外側の天板部２３に複数個の小径のシャワー噴出口８を楕円状に設けてある。また、補助キャップ３の天板部２３は、球面状に成形してあり、洗浄液をシャワー噴出口８から放射状に噴出することができるように構成してある。
【００６２】
補助キャップ３の胴部２５は、円筒状体４の摺動面２１に沿って摺動するようにしてあり、補助キャップ３を上下方向に変位させても洗浄液が漏れ出さないようにしてある。
また、補助キャップ３の胴部２５の下部には、突起部２７を設けてあり、突起部２７が胴部２５の弾性により位置決めリブ２２ａ、２２ｂを乗り越えて変位することにより、補助キャップ３を上下方向に位置決め可能に変位させることができるようにしてある。また、突起部２７は、円筒状体４の顎部２６と係合するように設けてあり、補助キャップ３が円筒状体４から外れないように構成してある。
【００６３】
なお、図示しないが、実施例２のキャップ装置は、実施例１と同様に、補助キャップ３にレバーを設け、該レバーの操作によりワンタッチで補助キャップ３を上下方向に変位させて、容器本体１内の洗浄液を中心噴出口７のみから噴出させるか又は中心噴出口７とシャワー噴出口８の両方から噴出させるように構成することも勿論可能である。
【００６４】
次に、実施例２の携帯洗浄器用の容器の作用について説明する。
図７に示すように、補助キャップ３を最下部まで押し下げた状態では、止水環状体２４がフランジ部１４及び弁座１７に接して、中心噴出口７及びシャワー噴出口８は閉止状態（図中の黒丸）になっており、容器本体１は密閉されている。このとき、補助キャップ３の突起部２７は円筒状体４の下側の位置決めリブ２２ｂと係合して容器本体１の密閉状態を維持するようにしてある。
【００６５】
図８に示すように、補助キャップ３を引き上げて突起部２７が上側の位置決めリブ２２ａと下側の位置決めリブ２２ｂの間に係合している状態では、止水環状体２４はフランジ部１４にのみ接して、シャワー噴出口８のみ閉止状態になっている。一方、中心噴出口７は、止水環状体２４と弁座１７の間を通って通水状態（図中の白丸）になり、容器本体１の胴部９を押圧することにより中心噴出口７から一本水流の洗浄液を噴出することができる。
【００６６】
図９に示すように、さらに補助キャップ３を引き上げて突起部２７が上側の位置決めリブ２２ａと顎部２６の間に係合している状態では、止水環状体２４はフランジ部１４及び弁座１７のいずれとも接しないから、中心噴出口７及びシャワー噴出口８の両方が通水状態になり、容器本体１の胴部９を押圧することにより中心噴出口７及びシャワー噴出口８からシャワー状に洗浄液を噴出することができる。
【実施例３】
【００６７】
本発明に係るキャップ装置は、主キャップ２に逆止弁を設けた構成とすることもできる。図１１に示す実施例３のキャップ装置は、実施例２のキャップ装置に逆止弁を付加してある。逆止弁は、環状弁座２８を有する環状体３０を円筒状体４の下部に設け、環状弁座２８にバネ弾力を付勢して球状弁体２９を離着座自在に設け、容器本体１内の洗浄液を吐出口５の方向へ通すが逆方向の流体は閉止するように構成してある。
【００６８】
図１１に示す実施例において、環状体３０は、中心に設けた連通孔３３と、該連通孔３３の上部に設けた環状弁座２８と、球状弁体２９をガイドするガイド部３４からなり、環状体３０の外周に設けた顎部３５と円筒状体４に設けた顎部３６を係合させて円筒状体４の下部に嵌入してある。ガイド部３４には、切欠部３８を設けてあり、球状弁体２９が環状弁座２８から離れたときに洗浄液を通すようにしてある。
中心突部１６は、円筒状体４の胴部３９に設けた仕切板３１に立設してあり、中心突部１６の下部には凹状のバネ座３２を設け、バネ３７により球状弁体２９を環状弁座２８にバネ弾力を付勢して着座してある。
【００６９】
上記構成により、容器の使用時には、容器本体１の胴部９を押圧することによって容器本体１内の圧力が高くなり、球状弁体２９がバネ弾力に抗して上方に押されて環状弁座２８から離れることにより、切欠部３８を通って容器本体１内の洗浄液を噴出させることができる。一方、押圧を止めるとバネ弾力により球状弁体２９が、再び環状弁座２８に着座して外部から容器本体１内への空気の侵入を防止することができるから、洗浄液内への細菌の混入を防止して清潔に保つことができる。また、補助キャップ３を上に引き上げた状態で不用意に容器本体１を転倒した場合でも、バネ弾力により球状弁体２９の環状弁座２８への着座を維持でき、容器本体１内の洗浄液が外に漏れることを防止することができる。なお、逆止弁は、実施例１のキャップ装置に設けることも勿論可能である。
【００７０】
また、図１１に示す実施例において、容器本体１の内側に柔軟性を有する粉流体収容袋を設け、粉流体の減少に伴って粉流体収容袋の容積が減少するように構成することもできる。このとき、容器本体１に外部から内部方向にのみ空気を通す逆止弁を設けることにより、容器本体１自体の容積は減少しないから、容器本体１の胴部９を押圧して容易に粉流体を噴出させることができる。
なお、容器本体１、主キャップ２及び補助キャップ３は、容器及び洗浄液を清潔に保つことができるように、抗菌素材を使用することが好ましい。
【００７１】
上記実施例１乃至３のキャップ装置は、携帯洗浄用の容器に使用するものであるが、これに限定されるものではなく、調味料容器のように他の液体や粉体等の粉流体を収容する容器に使用することもできる。調味料を中心噴出口７又はシャワー噴出口８から噴出させるようにしたことにより、調味料の分散を適正化させることができ、調味料の使用量を少なくすることができる。
また、実施例の洗浄液のように、粉流体を勢いよく噴出させる必要がないときには、容器本体１は硬質の合成樹脂やガラスによって成形することも可能である。
【図面の簡単な説明】
【００７２】
【図１】本発明キャップ装置の一実施例を示す斜視図
【図２】その一実施例の要部を示す断面図
【図３】その一実施例の要部を示す断面図
【図４】その一実施例の要部を示す断面図
【図５】その一実施例の要部を示すＡ−Ａ線断面図
【図６】本発明キャップ装置の他の実施例を示す一部縦断正面図
【図７】他の実施例の要部を示す断面図
【図８】他の実施例の要部を示す断面図
【図９】他の実施例の要部を示す断面図
【図１０】他の実施例の要部を示すＢ−Ｂ線断面図
【図１１】本発明キャップ装置のさらに別の実施例の要部を示す断面図
【符号の説明】
【００７３】
１  容器本体
２  主キャップ
３  補助キャップ
４  円筒状体
５  吐出口
６  天板部
７  中心噴出口
８  シャワー噴出口
９  胴部
１０  口部
１１  容器側ねじ部
１２  容量目盛
１３  温度表示部
１４  フランジ部
１５  連通孔
１６  中心突部
１７  弁座
１８  嵌合突起
１９  スカート部
２０  キャップ側ねじ部
２１  摺動面
２２ａ、２２ｂ  位置決めリブ
２３  天板部
２４  止水環状体
２５  胴部
２６  顎部
２７  突起部
２８  環状弁座
２９  球状弁体
３０  環状体
３１  仕切板
３２  バネ座
３３  連通孔
３４  ガイド部
３５、３６  顎部
３７  バネ
３８  切欠部
３９  胴部
４０  レバー
４０ａ  支持枠
４０ｂ  操作部
４１  支持軸
４２  揺動軸
４３  軸受部
４４  軸受穴
４５  リブ
５０  止水面
５１  摺動突条
５２  止水係合部
５３  微小孔
５４  縦リブ
【図１】
2005178889.tif 000003
【図２】
2005178889.tif 000004
【図３】
2005178889.tif 000005
【図４】
2005178889.tif 000006
【図５】
2005178889.tif 000007
【図６】
2005178889.tif 000008
【図７】
2005178889.tif 000009
【図８】
2005178889.tif 000010
【図９】
2005178889.tif 000011
【図１０】
2005178889.tif 000012
【図１１】
2005178889.tif 000013